(57)【要約】【課題】携帯電話機の電池を無闇に消耗させることなく、充電時間を有効に使って携帯電話機に必要なコンテンツ・データを自身の携帯電話機に格納するシステムを提供することが課題である。【解決手段】携帯電話機１０１、外部接続端子１０２、充電器１０３、アンテナ付き電源ケーブル１０４、データ放送局１０５から構成されている。その主要構成部である充電器１０３は、充電検出手段２０１、格納システム起動手段２０２、格納手段２０３、受信手段２０４、チャンネル情報記憶手段２０５、チャンネル更新手段２０６、課金手段２０７、充電電圧発生手段２０８という構成で、受信した放送データを携帯電話機に格納する。【選択図】図１
2006140977.tif 000002
【特許請求の範囲】
【請求項１】
データ放送受信手段を備えた携帯電話機用充電器と、該充電器との通信手段を備え、該通信手段により伝送された放送データを携帯電話機の内部にダウンロードするダウンロード手段を備えた携帯電話機とから構成されたデータ格納システムにおいて、
携帯電話機が充電器に接続されて充電状態のとき充電検出信号を出力する充電検出手段、
前記充電検出信号を受けてデータ格納起動信号を出力する格納システム起動手段、
前記データ格納起動信号を受けたときに前記データ放送受信手段を制御してデータ放送を受信し、該データ放送から受信したデータを前記携帯電話機内部にダウンロードするための処理を実行する格納手段
以上を有することを特徴とする携帯電話機におけるデータ格納システム。
【請求項２】
データ放送受信手段と放送データ記憶手段とを備えた携帯電話機用充電器と、該充電器との通信手段を備え、該通信手段により伝送された放送データを携帯電話機の内部にダウンロードするダウンロード手段を備えた携帯電話機とから構成されたデータ格納システムにおいて、
携帯電話機が充電器に接続されて充電状態のとき充電検出信号を出力する充電検出手段、
前記充電検出信号を受けてデータ格納起動信号を出力する格納システム起動手段、
前記データ格納起動信号を受けたときに前記記憶手段を制御して、該データ放送から受信したデータを前記携帯電話機内部にダウンロードするための処理を実行する格納手段
以上を有することを特徴とする携帯電話機におけるデータ格納システム。
【請求項３】
請求項１乃至２のデータ格納システムにおいて、前記充電器との通信手段は前記携帯電話機の外部接続端子であり、前記充電器に接続され、充電電圧及び前記データ放送受信部で受信したデータを該外部接続端子を介して該携帯電話機内に伝送することを特徴とするシステム
【請求項４】
請求項１乃至３のデータ格納システムにおいて、前記データ放送受信手段が、前記受信先のデータ放送に関するチャンネル情報を記憶しておくチャンネル記憶手段を有し、該チャンネル記憶手段に記憶されているチャンネル情報から所望のデータ放送のチャンネル情報に更新するチャンネル更新手段を備えたことを特徴とするシステム。
【請求項５】
請求項１乃至３のデータ格納システムにおいて、前記データ放送受信手段が、複数のデータ放送の中から所望のデータ放送を指定するためのチャンネル指定手段を備え、前記受信手段が、該チャンネル指定手段で指定された受信先を受信するように構成されていることを特徴とするシステム。
【請求項６】
請求項１乃至５のデータ格納システムにおいて、前回の前記データ格納から所定の時間を超えていないときには、前記データ格納システムが起動しないように設定されていることを特徴とするシステム。
【請求項７】
請求項１乃至６のデータ格納システムにおいて、前回の前記データ格納により格納されたデータと同じデータが今回のデータ放送から受信したデータに検出された場合、該データのＶｅｒｓｉｏｎを比較し、一致しているときには前記データ格納システムを停止し、異なっているときは上書きしデータ更新することを特徴とするシステム。
【請求項８】
請求項１乃至７のデータ格納システムにおいて、格納したい情報をダウンロードする際に、データを格納するか否かの選択画面に遷移してユーザーの指示を受けることを特徴とするシステム。
【請求項９】
請求項１乃至８のデータ格納システムにおいて、前記充電器との通信手段は、ＩＲ−ＤＡ、ブルートゥース、無線ＬＡＮ、イーサの端子、ＵＳＢ端子から選ばれた少なくとも１つであることを特徴とするシステム。
【請求項１０】
請求項１乃至９のデータ格納システムにおいて、前記受信したデータは暗号化されており、利用するために復号鍵が必要であることを特徴とするシステム。
【請求項１１】
請求項１乃至１０のデータ格納システムにおいて、前記充電器の電源ケーブルはデータ放送受信のためのアンテナを内蔵していることを特徴とするシステム。
【請求項１２】
請求項１乃至１１のデータ格納システムにおいて、前記データ放送はＢＳデジタル放送、地上波データ放送、ＦＭデータ放送から選ばれる少なくとも１つであることを特徴とするシステム。
【請求項１３】
請求項１乃至１２のデータ格納システムにおいて、さらに前記データ放送の受信を検知して、受信されたデータ放送の受信履歴情報を生成し、該受信履歴情報に基づいて課金処理を行う課金手段を備えていることを特徴とするシステム。
【請求項１４】
請求項１３のデータ格納システムにおいて、前記充電器は決済ポイントを蓄積するポイント蓄積手段を備え、前記課金処理は予め購入し蓄積した決済ポイントから前記受信履歴情報に応じたポイントを引き落とすことで行われることを特徴とするシステム。
【請求項１５】
請求項１３のデータ格納システムにおいて、前記受信履歴情報をデータ放送事業者に送信する送信手段を備え、送信された受信履歴情報に応じて受信料を携帯電話ユーザに請求することで前記課金処理が行われることを特徴とするシステム。
【請求項１６】
請求項１３のデータ格納システムにおいて、前記充電器は決済ポイントを蓄積したメモリーカードとの接続手段を備え、前記課金処理は前記受信履歴に応じた決済ポイントを前記メモリーカードから引き落とすことで行われることを特徴とするシステム。
【請求項１７】
請求項１乃至１２のデータ格納システムにおいて、前記放送データには利用制限が掛けられており、放送事業者から購入した電子鍵により利用できることを特徴とするシステム。
【請求項１８】
請求項１７のデータ格納システムにおいて、前記充電器はメモリーカードとの接続手段を備えており、前記電子鍵は該メモリーカードに格納されていることを特徴とするシステム。
【請求項１９】
請求項１８のデータ格納システムにおいて、前記メモリーカードはＩＣカードであることを特徴とするシステム。
【発明の詳細な説明】
【技術分野】
【０００１】  本発明は、携帯電話機のデータ格納システムに関するものであり、特にデータ放送を受信して受信したデータを携帯電話機にダウンロードするサービス機能を備えた携帯電話機用充電器を利用したデータ格納システムに関するものである。
【背景技術】
【０００２】  通常、携帯電話機の利用者は、その携帯電話機で使う着メロ、待ち受け画像などのコンテンツ・データを電車などの待ち時間や移動時間中などのいわゆる空き時間にその通信機能を使って取得し、自身の携帯電話機内部に格納して使う。
このようなコンテンツ・データの取得に通信機能を使用すると、電力をたくさん使うため、電池を消耗させ、通話などの本来の使用に支障をきたすことも多い。そのため予備電池を持ち歩いている利用者もいる。また、コンビニエンス・ストアなどでは有料の充電サービスを行ったりもしている。【０００３】  普通、携帯電話機のユーザは、自宅や会社のオフィスで、その携帯電話機の購入時についてくる標準の携帯電話機用充電器を用いて充電しているのが通常の姿である。これら充電器は充電する機能を主とするもので、充電の時間が有効に使われていない。【０００４】  最近では、カメラ付き携帯電話機の一部の機種で、充電器とパソコンとをＵＳＢケーブルなどで接続し、携帯電話に格納されている両像情報をパソコンに転送する機能を備えているもの、あるいは特許文献１において開示されているように携帯電話のソフトウエアやワン切り情報を更新するもの等が、まだまだ十分な活用がされているとは言い難い状況にある。
【特許文献１】特開２００４−１３４９４８
【発明の開示】
【発明が解決しようとする課題】
【０００５】  携帯電話機の電池を無闇に消耗させることなく、充電時間を有効に使って携帯電話機に必要なコンテンツ・データを自身の携帯電話機に格納するシステムを提供することが課題である。【０００６】  充電中は通電するため、データ通信のために電池の電力を消費することがないので、電池の消耗を心配する必要がない。着メロ、待ち受け画像など現在の携帯電話向けコンテンツの多くは、リアルタイムに更新する必要がないので、充電時間を有効活用することにより、外出中に徒にデータ受信して電池を消耗することを極力避けることが出来る。
【課題を解決するための手段】
【０００７】  本発明は、データ放送受信手段を備えた携帯電話機用充電器と、該充電器との通信手段を備え、該通信手段により伝送された放送データを携帯電話機の内部にダウンロードするダウンロード手段を備えた携帯電話機とから構成されたデータ格納システムにおいて、
１）携帯電話機が充電器に接続されて充電状態のとき充電検出信号を出力する充電検出手段、
２）前記充電検出信号を受けてデータ格納起動信号を出力する格納システム起動手段、
３）前記データ格納起動信号を受けたときに前記データ放送受信手段を制御してデータ放送を受信し、該データ放送から受信したデータを前記携帯電話機内部にダウンロードするための処理を実行する格納手段を有することを特徴とする。【０００８】  請求項２記載の発明においては、データ放送受信手段と放送データ記憶手段とを備えた携帯電話機用充電器と、該充電器との通信手段を備え、該通信手段により伝送された放送データを携帯電話機の内部にダウンロードするダウンロード手段を備えた携帯電話機とから構成されたデータ格納システムにおいて、
１）携帯電話機が充電器に接続されて充電状態のとき充電検出信号を出力する充電検出手段、
２）前記充電検出信号を受けてデータ格納起動信号を出力する格納システム起動手段、
３）前記データ格納起動信号を受けたときに前記記憶手段を制御して、該データ放送から受信したデータを前記携帯電話機内部にダウンロードするための処理を実行する格納手段を有することを特徴とする。【０００９】  請求項３記載の発明においては、請求項１乃至請求項２記載の発明における前記充電器との通信手段は前記携帯電話機の外部接続端子であり、前記充電器に接続され、充電電圧及び前記データ放送受信手段で受信したデータを該外部接続端子を介して該携帯電話機内に伝送することを特徴とする。ことを特徴とする。【００１０】  請求項４記載の発明においては、請求項１乃至請求項３記載の発明における前記データ放送受信手段が、前記受信先のデータ放送に関するチャンネル情報を記憶しておくチャンネル記憶手段を有し、該チャンネル記憶手段に記憶されているチャンネル情報から所望のデータ放送のチャンネル情報に更新するチャンネル更新手段を備えたことを特徴とする。【００１１】  請求項５記載の発明においては、請求項１乃至請求項３記載の発明における前記データ放送受信手段が、複数のデータ放送の中から所望のデータ放送を指定するためのチャンネル指定手段を備え、前記受信手段が、該チャンネル指定手段で指定された受信先を受信するように構成されていることを特徴とする。【００１２】  請求項６記載の発明においては、請求項１乃至請求項５記載の発明における前回の前記データ格納から所定の時間を超えていないときには、前記データ格納システムが起動しないように設定されていることを特徴とする。【００１３】  請求項７記載の発明においては、請求項１乃至請求項６記載の発明における前回の前記データ格納により格納されたデータと同じデータが今回のデータ放送から受信したデータに検出された場合、該データのＶｅｒｓｉｏｎを比較し、一致しているときには前記データ格納システムを停止し、異なっているときは上書きしデータ更新することを特徴とする。【００１４】  請求項８記載の発明においては、請求項１乃至請求項７記載の発明において格納したい情報をダウンロードする際に、データを格納するか否かの選択画面に遷移してユーザーの指示を受けることを特徴とする。【００１５】  請求項９記載の発明においては、請求項１乃至請求項８記載の発明における前記充電器との通信手段は、ＩＲ−ＤＡ、ブルートゥース、無線ＬＡＮ、イーサの端子、ＵＳＢ端子から選ばれた少なくとも１つであることを特徴とする。【００１６】  請求項１０記載の発明においては、請求項１乃至請求項９記載の発明における前記受信したデータは暗号化されており、利用するために復号鍵が必要であることを特徴とするシステム。【００１７】  請求項１１記載の発明においては、請求項１乃至請求項１０記載の発明における前記充電器の電源ケーブルはデータ放送受信のためのアンテナを内蔵していることを特徴とする。【００１８】  請求項１２記載の発明においては、請求項１乃至請求項１１記載の発明における前記データ放送はＢＳデジタル放送、地上波データ放送、ＦＭデータ放送から選ばれる少なくとも１つであることを特徴とする。【００１９】  請求項１３記載の発明においては、請求項１乃至請求項１２記載の発明において、さらに前記デー��放送の受信を検知して、受信されたデータ放送の受信履歴情報を生成し、該受信履歴情報に基づいて課金処理を行う課金手段を備えていることを特徴とする。【００２０】  請求項１４記載の発明においては、請求項１３記載の発明における前記充電器は決済ポイントを蓄積するポイント蓄積手段を備え、前記課金処理は予め購入し蓄積した決済ポイントから前記受信履歴情報に応じたポイントを引き落とすことで行われることを特徴とする。【００２１】  請求項１５記載の発明においては、請求項１３記載の発明における前記受信履歴情報をデータ放送事業者に送信する送信手段を備え、送信された受信履歴情報に応じて受信料を携帯電話ユーザに請求することで前記課金処理が行われることを特徴とする。【００２２】  請求項１６記載の発明においては、請求項１３記載の発明における前記充電器は決済ポイントを蓄積したメモリーカードとの接続手段を備え、前記課金処理は前記受信履歴に応じた決済ポイントを前記メモリーカードから引き落とすことで行われることを特徴とする。【００２３】  請求項１７記載の発明においては、請求項１乃至請求項１２記載の発明における前記放送データには利用制限が掛けられており、放送事業者から購入した電子鍵により利用できることを特徴とする。【００２４】  請求項１８記載の発明においては、請求項１７記載の発明における前記充電器はメモリーカードとの接続手段を備えており、前記電子鍵は該メモリーカードに格納されていることを特徴とする。【００２５】  請求項１９記載の発明においては、請求項１８記載の発明における前記メモリーカードはＩＣカードであることを特徴とする。
【発明の効果】
【００２６】  本発明のデータ格納システムは、充電中に電力を消費するデータ放送の受信をするため外出中にコンテンツ・データを受信して、電池を消耗させることを防ぐことが出来、かつ充電時間を有効に活用することが出来る。
【実施例１】
【００２７】  図１は、本発明のシステムの実施例１に使われるデータ格納システムの概略構成図である。携帯電話機１０１、外部接続端子１０２、充電器１０３、アンテナ付き電源ケーブル１０４、データ放送局１０５から構成されている。ここでデータ放送はＦＭデータ放送を利用する。ＦＭ波の特性からアンテナは所定の長さが必要であり、電源ケーブル１０４はその内部に電線１０６とともに十分な長さのアンテナ線１０７を設けることが可能であり、適切な受信を望めるアンテナとすることが出来る。ここではＦＭデータ放送を採用したが、これに限られるものではなく、ＢＳデジタル放送、地上波データ放送を採用しても良い。【００２８】  図２は、充電器１０３の機能構成を示した図である。充電検出手段２０１、格納システム起動手段２０２、格納手段２０３、受信手段２０４、チャンネル情報記憶手段２０５、チャンネル更新手段２０６、課金手段２０７、充電電圧発生手段２０８という構成である。【００２９】  ここで充電検出手段２０１は、携帯電話機１０１が充電器１０３に接続されて充電状態のとき充電検出信号を出力する。格納システム起動手段２０２は、充電検出手段２０１からの充電検出信号を受けてデータ格納動作起動信号を格納手段２０３へ出力する。格納手段２０３は、受信手段２０４を制御してデータ放送局１０５のデータ放送を受信開始する。このとき受信する放送チャンネルは、チャンネル情報記憶手段２０５に記憶されたチャンネル情報を参照して決定される。このチャンネル情報はチャンネル更新手段２０６によって、携帯電話機のユーザが望むチャンネルに書き換えることが出来る。【００３０】  放送データの格納について、図３に示したコンテンツデータ、チャンネル、放送データの模式図に沿って詳しく説明する。図３は携帯電話機１０１の記憶装置に現在格納されている本発明のダウンロード作業に必要なソフトウェア３０１と携帯電話機のデータ保存領域３０２に格納されたコンテンツデータＡ（ｖｅｒ１．０１）３０３、及びデータ放送局１０５が放送する放送チャンネルａ  ３０４、放送チャンネルｂ  ３０５、最新バージョンのコンテンツデータＡ（ｖｅｒ１．０３）３０６、その他のコンテンツデータＢ（ｖｅｒ１．０２）３０７を模式的に示している。【００３１】  ここで携帯電話機１０１は、チャンネルａがチャンネル情報としてチャンネル情報記憶手段２０５に記憶されている場合、すでに格納済みのコンテンツデータＡのバージョン情報と受信される放送データとしてのコンテンツデータＡとを比較し、放送データが新しいものであれば、ソフトウェア３０１によって、上書きする形でデータ保存領域３０２に格納される。【００３２】  本発明は、バージョン情報を比較する方式に限られるものではなく、前回の更新時刻を登録し、その時刻から一定の時刻を経過した場合のみ放送局側にあるデータを上書きする方式でも良い。また、チャンネルｂがチャンネル情報としてチャンネル情報記憶手段２０５に記憶されている場合、コンテンツデータＢがデータ保存領域３０２に格納される。【００３３】  課金手段２０７の動作について、課金手段の詳細構成を示した図４にしたがって説明する。
課金手段２０７は、受信履歴生成手段４０１、引き落とし手段４０２、カード接続手段４０３、メモリーカード４０４から構成されている。受信履歴生成手段４０１はデータ放送の受信をモニターし、受信履歴情報を生成する。引き落とし手段４０２は生成された受信履歴情報に従って、カード接続手段４０３によって接続しているメモリーカードに蓄積されている決済ポイントを引き落とす。ここでは決済ポイントを蓄積したメモリーカードを使用したが、決済ポイントを蓄積するメモリーを充電器１０３に設けて、予めメモリーに蓄積されている決済ポイントから引き落とす方式でも良い。【００３４】  充電電圧発生手段２０８では、携帯電話機１０１のための充電電圧を発生させ、外部接続端子１０２を介して、電流を供給し充電する。
【実施例２】
【００３５】  図５は本発明の実施例２のデータ格納システムの概略構成図である。携帯電話機５０１、外部接続端子５０２、ＵＳＢ端子５０３、充電器５０４、アンテナ付き電源ケーブル５０５、データ放送局５０６から構成されている。ここでデータ格納のためのデータ転送経路としてＵＳＢ端子を採用したが、本発明はこれに限られるものではなくイーサの端子でもよい。さらにはＩＲ−ＤＡ、ブルートゥース、無線ＬＡＮによって非接触の通信手段を採用しても良い。【００３６】  図６は、充電器５０４の機能構成を示した図である。充電検出手段６０１、格納システム起動手段６０２、格納手段６０３、受信手段６０４、受信情報一時記憶手段６０５、メモリーカード接続手段６０６、Ｂ−ＣＡＳカード６０７、充電電圧発生手段６０８という構成である。【００３７】  ここで充電検出手段６０１は、携帯電話機５０１が充電器５０４に接続されて充電状態のとき充電検出信号を出力する。格納システム起動手段６０２は、充電検出手段６０１からの充電検出信号を受けてデータ格納動作起動信号を格納手段６０３へ出力する。格納手段６０３は、受信情報一時記憶手段６０５に記憶されている放送データを携帯電話機５０１の内部に格納する。【００３８】  受信手段６０４は、メモリーカード接続手段６０７を介して接続されたＢ−ＣＡＳカード６０８に書き込まれた受信制御データに基づいてデータ放送局５０６のデータ放送を受信し、受信したデータを受信情報一時記憶手段６０５に記憶する。このとき受信する放送チャンネルやコンテンツデータは、Ｂ−ＣＡＳカード６０８に書き込まれた視聴者ＩＤなどの受信制御データに基づいて選択される。利用料もこの制御データを基に請求される。ここで本発明のＩＣカードとしてＢ−ＣＡＳカードが採用されているが、本発明のＩＣカードはこれに限られるものではなく、その他の方式のカードを採用しても良い。【００３９】  本発明によれば、携帯電話機を充電している時間を有効に活用して、コンテンツデータをダウンロードすることが出来る。また、コンテンツデータの取得のために電池を消費して通話など本来の通信機能を損なうことを回避できる。
【産業上の利用可能性】
【００４０】  この方法は携帯電話機に必要なコンテンツデータを取得するための手間や電池を消費して携帯電話機の本来の通信機能を損なう危険を回避するだけでなく、常に通電している充電器の幅広い利用の可能性を拓ものであり、携帯電話機のコンテンツデータの取得をより便利にする。
【図面の簡単な説明】
【００４１】
【図１】データ格納システムの概略構成図
【図２】充電器１０３の機能構成を示した図
【図３】コンテンツデータ、チャンネル、放送データの模式図
【図４】課金手段の詳細構成図
【図５】データ格納システムの概略構成図
【図６】充電器５０４の機能構成図
【符号の説明】
【００４２】１０１  携帯電話機
１０２  外部接続端子
１０３  充電器
１０４  アンテナ付き電源ケーブル
１０５  データ放送局
【図１】
2006140977.tif 000003
【図２】
2006140977.tif 000004
【図３】
2006140977.tif 000005
【図４】
2006140977.tif 000006
【図５】
2006140977.tif 000007
【図６】
2006140977.tif 000008